(57)【特許請求の範囲】
【請求項１】
共有ディスク装置にある所定の論理ボリュームに対応付けられた管理ホストにより登録されたバックアップホストに備わるイニシエータであって、前記管理ホストにより登録されたイニシエータを用いることが認証部により認証されたバックアップ・リストア処理部のみが、前記共有ディスク装置にある前記所定の論理ボリュームをバックアップ又はリストアできるようにし、
前記バックアップホストが、前記認証部及び前記バックアップ・リストア処理部を備えることを特徴とする共有ディスク装置のバックアップ・リストア・システム。
【請求項２】
請求項１に記載のバックアップ・リストア・システムであって、
必要な場合にのみ、前記管理ホストによる要求により、前記バックアップホスト及び該バックアップホストに備わる前記イニシエータが登録されていることを特徴とするバックアップ・リストア・システム。
【請求項３】
請求項１又は２に記載のバックアップ・リストア・システムであって、
前記管理ホストは、バックアップ・リストア要求部を備え、
前記共有ディスク装置は、ターゲット管理部を備え、
前記ターゲット管理部は、前記バックアップ・リストア要求部からの要求に従って、前記バックアップホスト及び該バックアップホストに備わる前記イニシエータを登録し、
前記バックアップ・リストア処理部は、前記バックアップ・リストア要求部からの要求に従って、前記バックアップ又はリストアを行なうことを特徴とするバックアップ・リストア・システム。
【請求項４】
共有ディスク装置にある所定の論理ボリュームに対応付けられた管理ホストにより登録されたバックアップホストに備わるイニシエータであって、前記管理ホストにより登録されたイニシエータを用いることが認証部により認証されたバックアップ・リストア処理部のみが、前記共有ディスク装置にある前記所定の論理ボリュームをバックアップ又はリストアできるようにし、
前記バックアップホストが、前記認証部及び前記バックアップ・リストア処理部を備えることを特徴とする共有ディスク装置のバックアップ・リストア方法。
【請求項５】
共有ディスク装置にある所定の論理ボリュームに対応付けられた管理ホストにより登録されたバックアップホストに備わるイニシエータであって、前記管理ホストにより登録されたイニシエータと、
前記イニシエータを用いることが認証部により認証されたバックアップ・リストア処理部と、
を備えることを特徴とするバックアップホスト。
【請求項６】
当該共有ディスク装置にある所定の論理ボリュームに対応付けられた管理ホストにより登録されたバックアップホストに備わるイニシエータであって、前記管理ホストにより登録されたイニシエータを用いることが認証部により認証されたバックアップ・リストア処理部のみが、当該共有ディスク装置にある前記所定の論理ボリュームをバックアップ又はリストアできるようにし、
前記バックアップホストが、前記認証部及び前記バックアップ・リストア処理部を備え、
前記管理ホストが、バックアップ・リストア要求部を備え、
当該共有ディスク装置が、ターゲット管理部を備え、
前記ターゲット管理部は、前記バックアップ・リストア要求部からの要求に従って、前記バックアップホスト及び該バックアップホストに備わる前記イニシエータを登録し、
前記バックアップ・リストア処理部は、前記バックアップ・リストア要求部からの要求に従って、前記バックアップ又はリストアを行なうことを特徴とする共有ディスク装置。
【請求項７】
共有ディスク装置にある所定の論理ボリュームに対応付けられた当該管理ホストにより登録されたバックアップホストに備わるイニシエータであって、当該管理ホストにより登録されたイニシエータを用いることが認証部により認証されたバックアップ・リストア処理部のみが、前記共有ディスク装置にある前記所定の論理ボリュームをバックアップ又はリストアできるようにし、
前記バックアップホストが、前記認証部及び前記バックアップ・リストア処理部を備え、
当該管理ホストが、バックアップ・リストア要求部を備え、
前記共有ディスク装置が、ターゲット管理部を備え、
前記ターゲット管理部は、前記バックアップ・リストア要求部からの要求に従って、前記バックアップホスト及び該バックアップホストに備わる前記イニシエータを登録し、
前記バックアップ・リストア処理部は、前記バックアップ・リストア要求部からの要求に従って、前記バックアップ又はリストアを行なうことを特徴とする管理ホスト。
【請求項８】
共有ディスク装置にある所定の論理ボリュームに対応付けられた管理ホストにより登録されたバックアップホストに備わるイニシエータであって、前記管理ホストにより登録されたイニシエータと、
前記イニシエータを用いることが認証部により認証されたバックアップ・リストア処理部と、
を備えることを特徴とするバックアップホストとしてコンピュータを機能させるためのプログラム。
【請求項９】
当該共有ディスク装置にある所定の論理ボリュームに対応付けられた管理ホストにより登録されたバックアップホストに備わるイニシエータであって、前記管理ホストにより登録されたイニシエータを用いることが認証部により認証されたバックアップ・リストア処理部のみが、当該共有ディスク装置にある前記所定の論理ボリュームをバックアップ又はリストアできるようにし、
前記バックアップホストが、前記認証部及び前記バックアップ・リストア処理部を備え、
前記管理ホストが、バックアップ・リストア要求部を備え、
当該共有ディスク装置が、ターゲット管理部を備え、
前記ターゲット管理部は、前記バックアップ・リストア要求部からの要求に従って、前記バックアップホスト及び該バックアップホストに備わる前記イニシエータを登録し、
前記バックアップ・リストア処理部は、前記バックアップ・リストア要求部からの要求に従って、前記バックアップ又はリストアを行なうことを特徴とする共有ディスク装置としてコンピュータを機能させるためのプログラム。
【請求項１０】
共有ディスク装置にある所定の論理ボリュームに対応付けられた当該管理ホストにより登録されたバックアップホストに備わるイニシエータであって、当該管理ホストにより登録されたイニシエータを用いることが認証部により認証されたバックアップ・リストア処理部のみが、前記共有ディスク装置にある前記所定の論理ボリュームをバックアップ又はリストアできるようにし、
前記バックアップホストが、前記認証部及び前記バックアップ・リストア処理部を備え、
当該管理ホストが、バックアップ・リストア要求部を備え、
前記共有ディスク装置が、ターゲット管理部を備え、
前記ターゲット管理部は、前記バックアップ・リストア要求部からの要求に従って、前記バックアップホスト及び該バックアップホストに備わる前記イニシエータを登録し、
前記バックアップ・リストア処理部は、前記バックアップ・リストア要求部からの要求に従って、前記バックアップ又はリストアを行なうことを特徴とする管理ホストとしてコンピュータを機能させるためのプログラム。
【発明の詳細な説明】
【技術分野】
【０００１】
本発明は、共有ディスク装置内の論理ボリュームをバックアップ又はリストアするための共有ディスク装置のバックアップ・リストア方法及びその装置に関する。
【背景技術】
【０００２】
複数のホストからｉＳＣＳＩ接続されている共有ディスク装置上の論理ボリュームへの不正アクセスを防止する手段としては、アクセス管理表を用いた方法が広く知られている。
【０００３】
アクセス管理表はｉＳＣＳＩターゲット単位に作成され、当該ｉＳＣＳＩターゲットに接続可能なｉＳＣＳＩイニシエータ毎に、論理ボリューム単位でアクセス権が設定可能である。
【０００４】
しかしながら、アクセス管理表はｉＳＣＳＩターゲット単位でしかアクセス権を設定できないため、同一ｉＳＣＳＩターゲットを使用する別プログラムからの不正アクセスは防止はできないという問題があった。
【０００５】
なお、本発明に関連する文献として下記のものがある。
【先行技術文献】
【特許文献】
【０００６】
【特許文献１】特開２００２−３５１７０３号公報
【特許文献２】特開２００３−２５６１４４号公報
【特許文献３】特開２００３−２９６１５４号公報
【特許文献４】特開２００５−１２８７３１号公報
【特許文献５】特表２００８−５４７１２３号公報
【発明の概要】
【発明が解決しようとする課題】
【０００７】
図１に示すような、業務ホスト１〜３、共有ディスク装置４、バックアップホスト５がＬＡＮ７で接続されたＩＰ−ＳＡＮ（ｉＳＣＳＩ）システムでは、業務ホスト単位でｉＳＣＳＩターゲット４２１〜４２４を定義し、そのｉＳＣＳＩターゲット毎に接続可能なｉＳＣＳＩイニシエータを制限することによって、論理ボリュームをアクセスできるホストを限定し、他ホストからの不正アクセスによるデータ破壊を防ぐ方法が一般的に用いられている。
【０００８】
例えば図１の例では、論理ボリューム（Ａ）４４１はｉＳＣＳＩターゲットＡ４２１からのみアクセス可能で、ｉＳＣＳＩターゲットＡ４２１には、業務ホスト１のｉＳＣＳＩイニシエータＡ１２、および、バックアップホスト５のｉＳＣＳＩイニシエータＺ５２からのみ接続可能となっている。
【０００９】
ところが、このようなシステムでは、バックアップホスト５上のバックアップリストア処理部５４と業務アプリケーション部５３は同じｉＳＣＳＩイニシエータＺ５２を使用しているため、誤ってバックアップホスト５上の業務アプリケーション部５３から論理ボリューム（Ａ）４４１に対して不正なアクセスが行われた場合、論理ボリュームが不正に参照・破壊されてしまうという問題があった。
【００１０】
本発明は、共有ディスク装置にある論理ボリュームのセキュリティを高めることを可能とする共有ディスク装置のバックアップ・リストア方法及びそのシステムを提供することを目的とする。
【課題を解決するための手段】
【００１１】
本発明の第１の観点によれば、共有ディスク装置にある所定の論理ボリュームに対応付けられた管理ホストにより登録されたバックアップホストに備わるイニシエータであって、前記管理ホストにより登録されたイニシエータを用いることが認証部により認証されたバックアップ・リストア処理部のみが、前記共有ディスク装置にある前記所定の論理ボリュームをバックアップ又はリストアできるようにし、前記バックアップホストが、前記認証部及び前記バックアップ・リストア処理部を備えることを特徴とする共有ディスク装置のバックアップ・リストア・システムが提供される。
【００１２】
本発明の第２の観点によれば、共有ディスク装置にある所定の論理ボリュームに対応付けられた管理ホストにより登録されたバックアップホストに備わるイニシエータであって、前記管理ホストにより登録されたイニシエータを用いることが認証部により認証されたバックアップ・リストア処理部のみが、前記共有ディスク装置にある前記所定の論理ボリュームをバックアップ又はリストアできるようにし、前記バックアップホストが、前記認証部及び前記バックアップ・リストア処理部を備えることを特徴とする共有ディスク装置のバックアップ・リストア方法が提供される。
【００１３】
本発明の第３の観点によれば、共有ディスク装置にある所定の論理ボリュームに対応付けられた管理ホストにより登録されたバックアップホストに備わるイニシエータであって、前記管理ホストにより登録されたイニシエータと、前記イニシエータを用いることが認証部により認証されたバックアップ・リストア処理部と、を備えることを特徴とするバックアップホストが提供される。
【００１４】
本発明の第４の観点によれば、当該共有ディスク装置にある所定の論理ボリュームに対応付けられた管理ホストにより登録されたバックアップホストに備わるイニシエータであって、前記管理ホストにより登録されたイニシエータを用いることが認証部により認証されたバックアップ・リストア処理部のみが、当該共有ディスク装置にある前記所定の論理ボリュームをバックアップ又はリストアできるようにし、前記バックアップホストが、前記認証部及び前記バックアップ・リストア処理部を備え、前記管理ホストが、バックアップ・リストア要求部を備え、当該共有ディスク装置が、ターゲット管理部を備え、前記ターゲット管理部は、前記バックアップ・リストア要求部からの要求に従って、前記バックアップホスト及び該バックアップホストに備わる前記イニシエータを登録し、前記バックアップ・リストア処理部は、前記バックアップ・リストア要求部からの要求に従って、前記バックアップ又はリストアを行なうことを特徴とする共有ディスク装置が提供される。
【００１５】
本発明の第５の観点によれば、共有ディスク装置にある所定の論理ボリュームに対応付けられた当該管理ホストにより登録されたバックアップホストに備わるイニシエータであって、当該管理ホストにより登録されたイニシエータを用いることが認証部により認証されたバックアップ・リストア処理部のみが、前記共有ディスク装置にある前記所定の論理ボリュームをバックアップ又はリストアできるようにし、前記バックアップホストが、前記認証部及び前記バックアップ・リストア処理部を備え、当該管理ホストが、バックアップ・リストア要求部を備え、前記共有ディスク装置が、ターゲット管理部を備え、前記ターゲット管理部は、前記バックアップ・リストア要求部からの要求に従って、前記バックアップホスト及び該バックアップホストに備わる前記イニシエータを登録し、前記バックアップ・リストア処理部は、前記バックアップ・リストア要求部からの要求に従って、前記バックアップ又はリストアを行なうことを特徴とする管理ホストが提供される。
【００１６】
本発明の第６の観点によれば、共有ディスク装置にある所定の論理ボリュームに対応付けられた管理ホストにより登録されたバックアップホストに備わるイニシエータであって、前記管理ホストにより登録されたイニシエータと、前記イニシエータを用いることが認証部により認証されたバックアップ・リストア処理部と、を備えることを特徴とするバックアップホストとしてコンピュータを機能させるためのプログラムが提供される。
【００１７】
本発明の第７の観点によれば、当該共有ディスク装置にある所定の論理ボリュームに対応付けられた管理ホストにより登録されたバックアップホストに備わるイニシエータであって、前記管理ホストにより登録されたイニシエータを用いることが認証部により認証されたバックアップ・リストア処理部のみが、当該共有ディスク装置にある前記所定の論理ボリュームをバックアップ又はリストアできるようにし、前記バックアップホストが、前記認証部及び前記バックアップ・リストア処理部を備え、前記管理ホストが、バックアップ・リストア要求部を備え、当該共有ディスク装置が、ターゲット管理部を備え、前記ターゲット管理部は、前記バックアップ・リストア要求部からの要求に従って、前記バックアップホスト及び該バックアップホストに備わる前記イニシエータを登録し、前記バックアップ・リストア処理部は、前記バックアップ・リストア要求部からの要求に従って、前記バックアップ又はリストアを行なうことを特徴とする共有ディスク装置としてコンピュータを機能させるためのプログラムが提供される。
【００１８】
本発明の第８の観点によれば、共有ディスク装置にある所定の論理ボリュームに対応付けられた当該管理ホストにより登録されたバックアップホストに備わるイニシエータであって、当該管理ホストにより登録されたイニシエータを用いることが認証部により認証されたバックアップ・リストア処理部のみが、前記共有ディスク装置にある前記所定の論理ボリュームをバックアップ又はリストアできるようにし、前記バックアップホストが、前記認証部及び前記バックアップ・リストア処理部を備え、当該管理ホストが、バックアップ・リストア要求部を備え、前記共有ディスク装置が、ターゲット管理部を備え、前記ターゲット管理部は、前記バックアップ・リストア要求部からの要求に従って、前記バックアップホスト及び該バックアップホストに備わる前記イニシエータを登録し、前記バックアップ・リストア処理部は、前記バックアップ・リストア要求部からの要求に従って、前記バックアップ又はリストアを行なうことを特徴とする管理ホストとしてコンピュータを機能させるためのプログラムが提供される。
【発明の効果】
【００１９】
本発明によれば、共有ディスク装置にある論理ボリュームのセキュリティを高めることが可能となる。
【図面の簡単な説明】
【００２０】
【図１】通常の共有ディスク装置のバックアップ・リストア・システムの構成を示すブロック図である。
【図２】本発明の実施形態による共有ディスク装置のバックアップ・リストア・システムの構成を示すブロック図である。
【図３】図２に示すバックアップ・リストア要求管理表の詳細図である。
【図４】図２に示すｉＳＣＳＩターゲット管理表の詳細図である。
【図５】本発明の実施形態による共有ディスク装置のバックアップ・リストア方法を示すフローチャートである。
【図６】図５に示すバックアップホスト情報登録のステップとバックアップホスト情報削除のステップの詳細を示すフローチャートである。
【図７】図５に示すｉＳＣＳＩセッション確立のステップの詳細を示すフローチャートである。
【図８】図５に示すｉＳＣＳＩセッション切断のステップの詳細を示すフローチャートである。
【発明を実施するための形態】
【００２１】
以下、図面を参照して本発明を実施するための形態について詳細に説明する。
【００２２】
業務ホスト、バックアップホスト、共有ディスク装置がＩＰネットワーク接続されたＩＰ−ＳＡＮ（ｉＳＣＳＩ）システムにおいて、バックアップホスト上にバックアップ・リストア処理専用のｉＳＣＳＩイニシエータを作成し、そのｉＳＣＳＩイニシエータを利用してバックアップ・リストア処理を行うことにより、バックアップホスト上の他アプリケーションからの共用ディスク装置への不正アクセスを排除することを特徴とする。
【００２３】
図２〜図４を参照して、本発明による解決手段を説明する。
【００２４】
共有ディスク装置４は、ＮＩＣ（Ｎｅｔｗｏｒｋ  Ｉｎｔｅｒｆａｃｅ  Ｃａｒｄ）４１、ｉＳＣＳＩターゲット４２１〜４２４、ｉＳＣＳＩターゲット管理部４２５、ｉＳＣＳＩターゲット管理表４２６、論理ボリューム制御部４３、および、論理ボリューム４４１〜４４４を有する。
【００２５】
各ｉＳＣＳＩターゲット４２１〜４２４からアクセス可能な論理ボリュームは、ｉＳＣＳＩターゲット管理表４２６の論理ボリューム情報に設定されている。
【００２６】
ｉＳＣＳＩターゲット管理表４２６上の管理ホスト情報とは、当該ｉＳＣＳＩターゲットを管理している業務ホストに関する情報で、業務ホストのＩＰアドレス、および、その業務ホストが利用しているｉＳＣＳＩイニシエータのｉＳＣＳＩネームが登録されている。
【００２７】
また、ターゲット管理表４２６上のバックアップホスト情報とは、当該ｉＳＣＳＩターゲット配下の論理ディスクのバックアップ・リストア処理を行うバックアップホスト５に関する情報で、バックアップホスト５のＩＰアドレス、および、そのバックアップホスト５が利用しているｉＳＣＳＩイニシエータα５２２のｉＳＣＳＩネームが登録される。
【００２８】
各ｉＳＣＳＩターゲット４２１〜４２４へは、ｉＳＣＳＩターゲット管理部４２５上の管理ホスト情報、および、バックアップホスト情報に格納されているホストのｉＳＣＳＩイニシエータからのみ接続可能となっている。
【００２９】
ｉＳＣＳＩターゲット管理表４２６上のバックアップホスト情報は、常に登録されている訳ではなく、バックアップ・リストア処理開始時に、当該ｉＳＣＳＩターゲットを管理している業務ホストからの要求で一時的に登録され、バックアップ・リストア処理終了時に当該ｉＳＣＳＩターゲットを管理している業務ホストからの要求で削除される。
【００３０】
ターゲット管理表４２６上のバックアップホスト情報の登録・削除を行う権利は、ｉＳＣＳＩターゲット管理表４２６上に登録されている管理ホストのみが有する。
【００３１】
なお、バックアップホスト５は、プログラム認証部５５を有しており、ｉＳＣＳＩイニシエータα５２２は、バックアップ・リストア処理部５４以外からは利用できないようになっている。プログラム認証部５５は、例えばプロセスＩＤを用いた専用の認証処理でもよいし、バックアップホスト５のＯＳが標準サポートしているユーザ認証処理等を用いてもよい。
【００３２】
これにより、バックアップホスト５上の業務アプリケーション５３からの論理ボリューム（Ａ）４４１への不正アクセスが抑止でき、論理ボリューム（Ａ）４４１のセキュリティが確保される。
【００３３】
次に、本発明の実施形態の構成について、図２〜４を参照して詳細に説明する。
【００３４】
図２〜図４を参照すると、本発明の実施形態は、業務ホスト１〜３と、共有ディスク装置４と、バックアップホスト５と、バックアップ装置６と、ＬＡＮ７を含む。
【００３５】
業務ホスト１〜３は、それぞれ、ＮＩＣ１１、２１、３１と、ｉＳＣＳＩイニシエータ１２、２２、３２と、業務アプリケーション部１３、２３、３３と、バックアップ・リストア要求部１４、２４、３４を含む。
【００３６】
バックアップ・リストア要求部１４、２４、３４は、ＬＡＮ７を介して共有ディスク装置４のｉＳＣＳＩターゲット管理部４２５に対して、ｉＳＣＳＩターゲット管理表４２６へのバックアップホスト情報の登録・削除を要求し、ＬＡＮ７を介してバックアップホスト５のバックアップ・リストア処理部５４に対して論理ボリューム４４１〜４４４のバックアップ・リストアの要求を行うプログラムであり、自ホストが管理する論理ボリューム４４１〜４４４を識別するための論理ボリューム情報、それらの論理ボリューム４４１〜４４４をアクセスするために必要なｉＳＣＳＩターゲットを識別するためのｉＳＣＳＩターゲット情報、および、バックアップ・リストア要求を行うバックアップホスト５を識別するためのバックアップホスト情報を管理するためのバックアップ・リストア要求管理表１４、２４、３４（図３参照）を有している。
【００３７】
業務アプリケーション部１３、２３、３３は、業務ホスト１〜３の業務を行うアプリケーションで、各業務ホストが管理する論理ボリューム４４１〜４４４を使用している。なお、会社の業務のために利用するという意味で「業務」という用語を用いているが、業務アプリケーションは、一般には、アプリケーションプログラムである。
【００３８】
ｉＳＣＳＩイニシエータ１２、２２、３２は、業務アプリケーション部１３、２３、３３が論理ボリューム４４１〜４４４にアクセスするために用いられる。
【００３９】
ＮＩＣ１１、２１、３１は、業務ホスト１〜３とＬＡＮ７をＴＣＰ／ＩＰ接続するための、ネットワークインタフェースカードである。
【００４０】
共有ディスク装置４は、ＮＩＣ４１と、ｉＳＣＳＩターゲット４２１〜４２４と、ｉＳＣＳＩターゲット管理部４２５と、ｉＳＣＳＩターゲット管理表４２６と、論理ボリュームへのアクセスの制御を行う論理ボリューム制御部４３と、論理ボリューム４４１〜４４４とを含む。
【００４１】
ＮＩＣ４１は、共有ディスク装置４とＬＡＮ７をＴＣＰ／ＩＰ接続するための、ネットワークインタフェースカードである。
【００４２】
ｉＳＣＳＩターゲット４２１〜４２４は、論理ボリューム４４１〜４４４をｉＳＣＳＩインタフェースでアクセスするために用いられる。
【００４３】
ｉＳＣＳＩターゲット管理部４２５は、ｉＳＣＳＩターゲット管理表４２６を管理するための手段で、ｉＳＣＳＩターゲット４２１〜４２４を管理する業務ホストである管理ホストからの要求に応じて、バックアップホスト情報のｉＳＣＳＩターゲット管理表４２６への登録・削除を行う。
【００４４】
ｉＳＣＳＩターゲット管理表４２６は、各ｉＳＣＳＩターゲット４２１〜４２４がアクセス可能な論理ボリュームを識別するための論理ボリューム情報、各ｉＳＣＳＩターゲット４２１〜４２４を管理している管理ホストを識別するための管理ホスト情報、および、各ｉＳＣＳＩターゲット４２１〜４２４を用いて論理ボリューム４４１〜４４４のバックアップ・リストアを行うバックアップホストを識別するためのバックアップホスト情報を格納している（図４参照）。
【００４５】
論理ボリューム制御部４３は、論理ボリューム４４１〜４１１の制御を行う。
【００４６】
バックアップホスト５は、ＮＩＣ５１と、ｉＳＣＳＩイニシエータ５２１、５２２と、プログラム認証部５５と、業務アプリケーション５３と、バックアップ・リストア処理部５４を含む。
【００４７】
ＮＩＣ５１は、バックアップホスト５とＬＡＮ７をＴＣＰ／ＩＰ接続するためのネットワークインタフェースカードである。
【００４８】
ｉＳＣＳＩイニシエータ５２１は、業務アプリケーション５３が論理ボリューム４４４をｉＳＣＳＩインタフェースでアクセスするために用いられる。
【００４９】
ｉＳＣＳＩイニシエータ５２２は、バックアップ・リストア要求部５４が論理ボリューム４４１をｉＳＣＳＩインタフェースでアクセスするために用いられる。
【００５０】
プログラム認証部５５は、ｉＳＣＳＩイニシエータ５２１、５２２を、それぞれ、使用するプログラムの認証を行うためのプログラムで、特に、ｉＳＣＳＩイニシエータα５２２をバックアップ・リストア処理部５４から利用することを許可するが、バックアップ・リストア処理部５４以外のプログラム（例えば、業務アプリケーション部５３）から利用することを排除している。
【００５１】
バックアップ・リストア処理部５４は、バックアップ・リストア要求部１４、２４、３４などからのバックアップ・リストア要求を受けて、ＬＡＮ７を介して論理ボリューム４４１〜４４４をバックアップ装置６にバックアップし、又は、バックアップ装置６から論理ボリューム４４１〜４４４にリストアするプログラムである。
【００５２】
業務アプリケーション部５３は業務を行うアプリケーションで、論理ボリューム４４４を使用して、業務を行っている。
【００５３】
バックアップ装置６は、バックアップホスト５に接続されており、論理ボリューム４４１〜４４４のバックアップ用の装置として用いられる。
【００５４】
業務ホスト１〜３、共有ディスク装置４、バックアップホスト５は、ＬＡＮ７を介して相互に接続されている。
【００５５】
次に、図５〜図８のフローチャートを参照して、業務ホスト１が管理している論理ボリューム４４１を、バックアップホスト５を用いて、バックアップ装置６との間でバックアップ又はリストア（以下、「バックアップ・リストア」という。本発明においても同様。）する場合の動作を説明する。
【００５６】
図５は、バックアップ・リストア処理実施時の、バックアップ・リストア要求部１４、バックアップ・リストア処理部５４、および、ｉＳＣＳＩターゲット管理部４２５の動作を示している。
【００５７】
論理ボリューム（Ａ）４４１のバックアップ・リストア処理時、業務ホスト１のバックアップ・リストア要求部１４は、バックアップホスト５のバックアップ・リストア処理部５４に対して、バックアップ・リストア処理部５が使用するｉＳＣＳＩイニシエータ５２２のｉＳＣＳＩネームの返却を要求する（ステップＡ１）。
【００５８】
バックアップホスト５のバックアップ・リストア処理部５４は、ｉＳＣＳＩイニシエータ５２２のｉＳＣＳＩネームを、業務ホスト１のバックアップ・リストア要求部１４に返却する（ステップＡ２）。
【００５９】
業務ホスト１のバックアップ・リストア要求部１４は、バックアップホスト５のバックアップ・リストア処理部５４から返却されたｉＳＣＳＩイニシエータ５２２のｉＳＣＳＩネームとバックアップホスト５のＩＰアドレスをバックアップ・リストア要求管理表１４１に登録する（ステップＡ３）。
【００６０】
業務ホスト１のバックアップ・リストア要求部１４は、共有ディスク装置４のｉＳＣＳＩターゲット管理部４２５に対して、ｉＳＣＳＩイニシエータ５２２のｉＳＣＳＩネームとバックアップホスト５のＩＰアドレスのｉＳＣＳＩターゲット管理表４２６への登録を要求する（ステップＡ４）。
【００６１】
共有ディスク装置４のｉＳＣＳＩターゲット管理部４２５は、業務ホスト１のバックアップ・リストア要求部１４から受け取ったｉＳＣＳＩイニシエータ５２２のｉＳＣＳＩネームとバックアップホスト５のＩＰアドレスをｉＳＣＳＩターゲット管理表４２６に登録する（ステップＡ５）。
【００６２】
業務ホスト１のバックアップ・リストア要求部１４は、バックアップホスト５のバックアップ・リストア処理部５４に対して、バックアップ・リストア処理の開始を要求する（ステップＡ６）。
【００６３】
バックアップホスト５のｉＳＣＳＩイニシエータα５２２は、共有ディスク装置４のｉＳＣＳＩターゲットＡ４２１との間にｉＳＣＳＩセッションを確立する（ステップＡ７）。
【００６４】
バックアップホスト５のバックアップ・リストア処理部５４は、論理ボリューム（Ａ）４４１のバックアップ・リストア処理を実行する（ステップＡ８）。
【００６５】
バックアップホスト５のｉＳＣＳＩイニシエータα５２２は、共有ディスク装置４のｉＳＣＳＩターゲットＡ４２１との間のｉＳＣＳＩセッションを切断する（ステップＡ９）。
【００６６】
バックアップホスト５のバックアップ・リストア処理部５４には、業務ホスト１のバックアップ・リストア要求部１４に対して、バックアップ・リストア処理の完了を報告する（ステップＡ１０）。
【００６７】
業務ホスト１のバックアップ・リストア要求部１４は、共有ディスク装置４のｉＳＣＳＩターゲット管理部４２５に対して、ｉＳＣＳＩイニシエータ５２２のｉＳＣＳＩネームとバックアップホスト５のＩＰアドレスのｉＳＣＳＩターゲット管理表４２６からの削除を要求する（ステップＡ１１）。
【００６８】
共有ディスク装置４のｉＳＣＳＩターゲット管理部４２５は、業務ホスト１のバックアップ・リストア要求部１４から受け取ったｉＳＣＳＩイニシエータ５２２のｉＳＣＳＩネームとバックアップホスト５のＩＰアドレスをｉＳＣＳＩターゲット管理表４２６から削除する（ステップＡ１２）。
【００６９】
業務ホスト１のバックアップ・リストア要求部１４は、ｉＳＣＳＩイニシエータ５２２のｉＳＣＳＩネームとバックアップホスト５のＩＰアドレスをバックアップ・リストア要求管理表１４１から削除する（ステップＡ１３）。
【００７０】
図６は、ｉＳＣＳＩターゲット管理部４２５の動作を示している。
【００７１】
ｉＳＣＳＩターゲット管理部４２５は、業務ホスト１のバックアップ・リストア要求部１４からの要求を受け取ると（ステップＢ１）、要求で指定されたｉＳＣＳＩターゲットが、ｉＳＣＳＩターゲット管理表４２６中に存在するかどうかを判断する（ステップＢ２）。
【００７２】
そして、指定されたｉＳＣＳＩターゲットがｉＳＣＳＩターゲット管理表４２６中に存在しない場合は、リジェクト処理を行い（ステップＢ８）、要求待ち状態にもどる。
【００７３】
指定されたｉＳＣＳＩターゲットがｉＳＣＳＩターゲット管理表４２６中に存在した場合は、その要求が、ｉＳＣＳＩターゲット管理表４２６中に登録されている管理ホストからの要求かどうかを判断する（ステップＢ３）。
【００７４】
そして、ｉＳＣＳＩターゲット管理表４２６中に登録されている管理ホストからの要求でない場合は、リジェクト処理を行い（ステップＢ８）、要求待ち状態にもどる。
【００７５】
ｉＳＣＳＩターゲット管理表４２６中に登録されている管理ホストからの要求の場合は、その要求が、バックアップホスト情報の登録要求か、削除要求かの判断を行う（ステップＢ４）。
【００７６】
そして、バックアップホスト情報の登録要求の場合は、バックアップホスト情報をｉＳＣＳＩターゲット管理表４２６に登録し（ステップＢ５）、削除要求の場合は、バックアップホスト情報をｉＳＣＳＩターゲット管理表４２６から削除し（ステップＢ６）、アクセプト処理を行い（ステップＢ７）、要求待ち状態にもどる。
【００７７】
図７は、ｉＳＣＳＩターゲット４２１〜４２４のｉＳＣＳＩセッション確立処理の動作を示している。
【００７８】
ｉＳＣＳＩターゲットは、ｉＳＣＳＩイニシエータからのｉＳＣＳＩセッション確立要求を受け取ると（ステップＣ１）、要求元ｉＳＣＳＩイニシエータのＩＰアドレスがｉＳＣＳＩターゲット管理表４２６のバックアップホスト情報中に存在するかどうかを判断する（ステップＣ２）。
【００７９】
そして、要求元ｉＳＣＳＩイニシエータのＩＰアドレスがｉＳＣＳＩターゲット管理表４２６のバックアップホスト情報中に存在しない場合は、リジェクト処理を行い（ステップＣ８）、要求待ち状態にもどる。
【００８０】
要求元ｉＳＣＳＩイニシエータのＩＰアドレスがｉＳＣＳＩターゲット管理表４２６のバックアップホスト情報中に存在した場合は、要求元ｉＳＣＳＩイニシエータのｉＳＣＳＩネームがｉＳＣＳＩターゲット管理表４２６のバックアップホスト情報中に存在するかどうかを判断する（ステップＣ３）。
【００８１】
そして、要求元ｉＳＣＳＩイニシエータのｉＳＣＳＩネームがｉＳＣＳＩターゲット管理表４２６のバックアップホスト情報中に存在しない場合は、リジェクト処理を行い（ステップＣ６）、要求待ち状態にもどる。
【００８２】
要求元ｉＳＣＳＩイニシエータのｉＳＣＳＩネームがｉＳＣＳＩターゲット管理表４２６のバックアップホスト情報中に存在する場合は、ｉＳＣＳＩセッションを確立し（ステップＣ４）、アクセプト処理を行い（ステップＣ５）、要求待ち状態にもどる。
【００８３】
図８は、ｉＳＣＳＩターゲット４２１〜４２４のｉＳＣＳＩセッション切断処理の動作を示している。
【００８４】
ｉＳＣＳＩターゲットは、ｉＳＣＳＩイニシエータからのｉＳＣＳＩセッション切断要求を受け取ると（ステップＤ１）、要求元ｉＳＣＳＩイニシエータとｉＳＣＳＩセッションを確立しているかどうかを判断する（ステップＤ２）。
【００８５】
そして、要求元ｉＳＣＳＩイニシエータとｉＳＣＳＩセッションを確立していない場合は、リジェクト処理を行い（ステップＤ４）、要求待ち状態にもどる。
【００８６】
要求元ｉＳＣＳＩイニシエータとｉＳＣＳＩセッションを確立している場合は、ｉＳＣＳＩセッションを切断し（ステップＤ２）、アクセプト処理を行い（ステップＤ３）、要求待ち状態にもどる。
【００８７】
本実施形態の効果は、ｉＳＣＳＩ接続された共有ディスク装置のセキュアなバックアップ・リストア処理を実現できることにある。
【００８８】
その理由は、論理ボリュームの管理ホスト以外のホストから論理ボリュームをアクセスするためには、そのプログラムが使用するｉＳＣＳＩイニシエータと、対象となる論理ボリュームをアクセス可能なｉＳＣＳＩターゲット間でセッションを開設する必要があるが、バックアップ・リストア処理部が利用するｉＳＣＳＩイニシエータ以外は目的のｉＳＣＳＩターゲットに接続できないようにガードされているため、バックアップ・リストア処理部以外から論理ボリュームへのアクセスはできないからである。
【００８９】
さらに、バックアップ・リストア処理部が使用するｉＳＣＳＩイニシエータの情報は、バックアップ・リストア処理実行中のみｉＳＣＳＩターゲット管理表に登録されるため、バックアップ・リストア処理実行中以外は、バックアップ・リストア処理部を含めて、バックアップホスト上の全てのプログラムは論理ボリュームへのアクセスはできない。
【００９０】
なお、上記の業務ホスト、共有ディスク装置、バックアップホストは、各々、ハードウェア、ソフトウェア又はこれらの組合わせにより実現することができる。また、上記の業務ホスト、共有ディスク、バックアップホストにより行なわれるバックアップ・リストア方法も、ハードウェア、ソフトウェア又はこれらに組合わせにより実現することができる。ここで、ソフトウェアによって実現されるとは、コンピュータがプログラムを読み込んで実行することにより実現されることを意味する。
【００９１】
プログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（Ｒｅａｄ  Ｏｎｌｙ  Ｍｅｍｏｒｙ）、ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（ｒａｎｄｏｍ  ａｃｃｅｓｓ  ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００９２】
上記の実施形態の一部又は全部は、以下の付記のようにも記載されうるが、以下には限られない。
【００９３】
（付記１）
共有ディスク装置にある所定の論理ボリュームに対応付けられた管理ホストにより登録されたバックアップホストに備わるイニシエータであって、前記管理ホストにより登録されたイニシエータを用いることが認証部により認証されたバックアップ・リストア処理部のみが、前記共有ディスク装置にある前記所定の論理ボリュームをバックアップ又はリストアできるようにしたことを特徴とする共有ディスク装置のバックアップ・リストア・システム。
【００９４】
（付記２）
付記１に記載のバックアップ・リストア・システムであって、
必要な場合にのみ、前記管理ホストによる要求により、前記バックアップホスト及び該バックアップホストに備わる前記イニシエータが登録されていることを特徴とするバックアップ・リストア・システム。
【００９５】
（付記３）
付記１又は２に記載のバックアップ・リストア・システムであって、
前記管理ホストは、バックアップ・リストア要求部を備え、
前記バックアップホストは、前記バックアップ・リストア処理部を備え、
前記共有ディスク装置は、ターゲット管理部を備え、
前記ターゲット管理部は、前記バックアップ・リストア要求部からの要求に従って、前記バックアップホスト及び該バックアップホストに備わる前記イニシエータを登録し、
前記バックアップ・リストア処理部は、前記バックアップ・リストア要求部からの要求に従って、前記バックアップ又はリストアを行なうことを特徴とするバックアップ・リストア・システム。
【００９６】
（付記４）
付記３に記載のバックアップ・リストア・システムであって、
前記ターゲット管理部は、前記バックアップ・リストア要求部を備える管理ホスト及び該管理ホストに備わるイニシエータが前記共有ディスク装置にある前記所定の論理ボリュームに関連づけられて前記共有ディスク装置に登録されている場合にのみ、前記バックアップホスト及び該バックアップホストに備わる前記イニシエータを登録することを特徴とするバックアップ・リストア・システム。
【００９７】
（付記５）
付記３又は４に記載のバックアップ・リストア・システムであって、
前記バックアップホスト及び該バックアップホストに備わる前記イニシエータが前記共有ディスク装置にある前記所定の論理ボリュームに関連づけられて登録されている場合にのみ、前記バックアップ・リストア処理部が前記バックアップ又はリストアを行なうことを特徴とするバックアップ・リストア・システム。
【００９８】
（付記６）
共有ディスク装置にある所定の論理ボリュームに対応付けられた管理ホストにより登録されたバックアップホストに備わるイニシエータであって、前記管理ホストにより登録されたイニシエータを用いることが認証部により認証されたバックアップ・リストア処理部のみが、前記共有ディスク装置にある前記所定の論理ボリュームをバックアップ又はリストアできるようにしたことを特徴とする共有ディスク装置のバックアップ・リストア方法。
【００９９】
（付記７）
付記６に記載のバックアップ・リストア方法であって、
必要な場合にのみ、前記管理ホストによる要求により、前記バックアップホスト及び該バックアップホストに備わる前記イニシエータが登録されていることを特徴とするバックアップ・リストア方法。
【０１００】
（付記８）
付記６又は７に記載のバックアップ・リストア方法であって、
前記管理ホストは、バックアップ・リストア要求部を備え、
前記バックアップホストは、前記バックアップ・リストア処理部を備え、
前記共有ディスク装置は、ターゲット管理部を備え、
前記ターゲット管理部は、前記バックアップ・リストア要求部からの要求に従って、前記バックアップホスト及び該バックアップホストに備わる前記イニシエータを登録し、
前記バックアップ・リストア処理部は、前記バックアップ・リストア要求部からの要求に従って、前記バックアップ又はリストアを行なうことを特徴とするバックアップ・リストア方法。
【０１０１】
（付記９）
付記８に記載のバックアップ・リストア方法であって、
前記ターゲット管理部は、前記バックアップ・リストア要求部を備える管理ホスト及び該管理ホストに備わるイニシエータが前記共有ディスク装置にある前記所定の論理ボリュームに関連づけられて前記共有ディスク装置に登録されている場合にのみ、前記バックアップホスト及び該バックアップホストに備わる前記イニシエータを登録することを特徴とするバックアップ・リストア方法。
【０１０２】
（付記１０）
付記８又は９に記載のバックアップ・リストア方法であって、
前記バックアップホスト及び該バックアップホストに備わる前記イニシエータが前記共有ディスク装置にある前記所定の論理ボリュームに関連づけられて登録されている場合にのみ、前記バックアップ・リストア処理部が前記バックアップ又はリストアを行なうことを特徴とするバックアップ・リストア方法。
【０１０３】
（付記１１）
共有ディスク装置にある所定の論理ボリュームに対応付けられた管理ホストにより登録されたバックアップホストに備わるイニシエータであって、前記管理ホストにより登録されたイニシエータと、
前記イニシエータを用いることが認証部により認証されたバックアップ・リストア処理部と、
を備えることを特徴とするバックアップホスト。
【０１０４】
（付記１２）
付記１１に記載のバックアップホストであって、
必要な場合にのみ、前記管理ホストによる要求により、当該バックアップホスト及び該バックアップホストに備わる前記イニシエータが登録されていることを特徴とするバックアップホスト。
【０１０５】
（付記１３）
付記１１又は１２に記載のバックアップホストであって、
前記管理ホストは、バックアップ・リストア要求部を備え、
当該バックアップホストは、前記バックアップ・リストア処理部を備え、
前記共有ディスク装置は、ターゲット管理部を備え、
前記ターゲット管理部は、前記バックアップ・リストア要求部からの要求に従って、当該バックアップホスト及び該バックアップホストに備わる前記イニシエータを登録し、
前記バックアップ・リストア処理部は、前記バックアップ・リストア要求部からの要求に従って、前記バックアップ又はリストアを行なうことを特徴とするバックアップホスト。
【０１０６】
（付記１４）
付記１３に記載のバックアップホストであって、
前記ターゲット管理部は、前記バックアップ・リストア要求部を備える管理ホスト及び該管理ホストに備わるイニシエータが前記共有ディスク装置にある前記所定の論理ボリュームに関連づけられて前記共有ディスク装置に登録されている場合にのみ、当該バックアップホスト及び該バックアップホストに備わる前記イニシエータを登録することを特徴とするバックアップホスト。
【０１０７】
（付記１５）
付記１３又は１４に記載のバックアップホストであって、
当該バックアップホスト及び該バックアップホストに備わる前記イニシエータが前記共有ディスク装置にある前記所定の論理ボリュームに関連づけられて登録されている場合にのみ、前記バックアップ・リストア処理部が前記バックアップ又はリストアを行なうことを特徴とするバックアップホスト。
【０１０８】
（付記１６）
当該共有ディスク装置にある所定の論理ボリュームに対応付けられた管理ホストにより登録されたバックアップホストに備わるイニシエータであって、前記管理ホストにより登録されたイニシエータを用いることが認証部により認証されたバックアップ・リストア処理部のみが、当該共有ディスク装置にある前記所定の論理ボリュームをバックアップ又はリストアできるようにしたことを特徴とする共有ディスク装置。
【０１０９】
（付記１７）
付記１６に記載の共有ディスク装置であって、
必要な場合にのみ、前記管理ホストによる要求により、前記バックアップホスト及び該バックアップホストに備わる前記イニシエータが登録されていることを特徴とする共有ディスク装置。
【０１１０】
（付記１８）
付記１６又は１７に記載の共有ディスク装置であって、
前記管理ホストは、バックアップ・リストア要求部を備え、
前記バックアップホストは、前記バックアップ・リストア処理部を備え、
当該共有ディスク装置は、ターゲット管理部を備え、
前記ターゲット管理部は、前記バックアップ・リストア要求部からの要求に従って、前記バックアップホスト及び該バックアップホストに備わる前記イニシエータを登録し、
前記バックアップ・リストア処理部は、前記バックアップ・リストア要求部からの要求に従って、前記バックアップ又はリストアを行なうことを特徴とする共有ディスク装置。
【０１１１】
（付記１９）
付記１８に記載の共有ディスク装置であって、
前記ターゲット管理部は、前記バックアップ・リストア要求部を備える管理ホスト及び該管理ホストに備わるイニシエータが当該共有ディスク装置にある前記所定の論理ボリュームに関連づけられて当該共有ディスク装置に登録されている場合にのみ、前記バックアップホスト及び該バックアップホストに備わる前記イニシエータを登録することを特徴とする共有ディスク装置。
【０１１２】
（付記２０）
付記１８又は１９に記載の共有ディスク装置であって、
前記バックアップホスト及び該バックアップホストに備わる前記イニシエータが当該共有ディスク装置にある前記所定の論理ボリュームに関連づけられて登録されている場合にのみ、前記バックアップ・リストア処理部が前記バックアップ又はリストアを行なうことを特徴とする共有ディスク装置。
【０１１３】
（付記２１）
共有ディスク装置にある所定の論理ボリュームに対応付けられた当該管理ホストにより登録されたバックアップホストに備わるイニシエータであって、当該管理ホストにより登録されたイニシエータを用いることが認証部により認証されたバックアップ・リストア処理部のみが、前記共有ディスク装置にある前記所定の論理ボリュームをバックアップ又はリストアできるようにしたことを特徴とする管理ホスト。
【０１１４】
（付記２２）
付記２１に記載の管理ホストであって、
必要な場合にのみ、当該管理ホストによる要求により、前記バックアップホスト及び該バックアップホストに備わる前記イニシエータが登録されていることを特徴とする管理ホスト。
【０１１５】
（付記２３）
付記２１又は２２に記載の管理ホストであって、
当該管理ホストは、バックアップ・リストア要求部を備え、
前記バックアップホストは、前記バックアップ・リストア処理部を備え、
前記共有ディスク装置は、ターゲット管理部を備え、
前記ターゲット管理部は、前記バックアップ・リストア要求部からの要求に従って、前記バックアップホスト及び該バックアップホストに備わる前記イニシエータを登録し、
前記バックアップ・リストア処理部は、前記バックアップ・リストア要求部からの要求に従って、前記バックアップ又はリストアを行なうことを特徴とする管理ホスト。
【０１１６】
（付記２４）
付記２３に記載の管理ホストであって、
前記ターゲット管理部は、前記バックアップ・リストア要求部を備える当該管理ホスト及び該管理ホストに備わるイニシエータが前記共有ディスク装置にある前記所定の論理ボリュームに関連づけられて前記共有ディスク装置に登録されている場合にのみ、前記バックアップホスト及び該バックアップホストに備わる前記イニシエータを登録することを特徴とする管理ホスト。
【０１１７】
（付記２５）
付記２３又は２４に記載の管理ホストであって、
前記バックアップホスト及び該バックアップホストに備わる前記イニシエータが前記共有ディスク装置にある前記所定の論理ボリュームに関連づけられて登録されている場合にのみ、前記バックアップ・リストア処理部が前記バックアップ又はリストアを行なうことを特徴とする管理ホスト。
【０１１８】
（付記２６）
共有ディスク装置にある所定の論理ボリュームに対応付けられた管理ホストにより登録されたバックアップホストに備わるイニシエータであって、前記管理ホストにより登録されたイニシエータと、
前記イニシエータを用いることが認証部により認証されたバックアップ・リストア処理部と、
を備えることを特徴とするバックアップホストとしてコンピュータを機能させるためのプログラム。
【０１１９】
（付記２７）
付記２６に記載のプログラムであって、
前記バックアップホストにおいて、
必要な場合にのみ、前記管理ホストによる要求により、当該バックアップホスト及び該バックアップホストに備わる前記イニシエータが登録されていることを特徴とするプログラム。
【０１２０】
（付記２８）
付記２６又は２７に記載のプログラムであって、
前記バックアップホストにおいて、
前記管理ホストは、バックアップ・リストア要求部を備え、
当該バックアップホストは、前記バックアップ・リストア処理部を備え、
前記共有ディスク装置は、ターゲット管理部を備え、
前記ターゲット管理部は、前記バックアップ・リストア要求部からの要求に従って、当該バックアップホスト及び該バックアップホストに備わる前記イニシエータを登録し、
前記バックアップ・リストア処理部は、前記バックアップ・リストア要求部からの要求に従って、前記バックアップ又はリストアを行なうことを特徴とするプログラム。
【０１２１】
（付記２９）
付記２８に記載のプログラムであって、
前記バックアップホストにおいて、
前記ターゲット管理部は、前記バックアップ・リストア要求部を備える管理ホスト及び該管理ホストに備わるイニシエータが前記共有ディスク装置にある前記所定の論理ボリュームに関連づけられて前記共有ディスク装置に登録されている場合にのみ、当該バックアップホスト及び該バックアップホストに備わる前記イニシエータを登録することを特徴とするプログラム。
【０１２２】
（付記３０）
付記２８又は２９に記載のプログラムであって、
前記バックアップホストにおいて、
当該バックアップホスト及び該バックアップホストに備わる前記イニシエータが前記共有ディスク装置にある前記所定の論理ボリュームに関連づけられて登録されている場合にのみ、前記バックアップ・リストア処理部が前記バックアップ又はリストアを行なうことを特徴とするプログラム。
【０１２３】
（付記３１）
当該共有ディスク装置にある所定の論理ボリュームに対応付けられた管理ホストにより登録されたバックアップホストに備わるイニシエータであって、前記管理ホストにより登録されたイニシエータを用いることが認証部により認証されたバックアップ・リストア処理部のみが、当該共有ディスク装置にある前記所定の論理ボリュームをバックアップ又はリストアできるようにしたことを特徴とする共有ディスク装置としてコンピュータを機能させるためのプログラム。
【０１２４】
（付記３２）
付記３１に記載のプログラムであって、
前記共有ディスク装置において、
必要な場合にのみ、前記管理ホストによる要求により、前記バックアップホスト及び該バックアップホストに備わる前記イニシエータが登録されていることを特徴とするプログラム。
【０１２５】
（付記３３）
付記３１又は３２に記載のプログラムであって、
前記共有ディスク装置において、
前記管理ホストは、バックアップ・リストア要求部を備え、
前記バックアップホストは、前記バックアップ・リストア処理部を備え、
当該共有ディスク装置は、ターゲット管理部を備え、
前記ターゲット管理部は、前記バックアップ・リストア要求部からの要求に従って、前記バックアップホスト及び該バックアップホストに備わる前記イニシエータを登録し、
前記バックアップ・リストア処理部は、前記バックアップ・リストア要求部からの要求に従って、前記バックアップ又はリストアを行なうことを特徴とするプログラム。
【０１２６】
（付記３４）
付記３３に記載のプログラムであって、
前記共有ディスク装置において、
前記ターゲット管理部は、前記バックアップ・リストア要求部を備える管理ホスト及び該管理ホストに備わるイニシエータが当該共有ディスク装置にある前記所定の論理ボリュームに関連づけられて当該共有ディスク装置に登録されている場合にのみ、前記バックアップホスト及び該バックアップホストに備わる前記イニシエータを登録することを特徴とするプログラム。
【０１２７】
（付記３５）
付記３３又は３４に記載のプログラムであって、
前記共有ディスク装置において、
前記バックアップホスト及び該バックアップホストに備わる前記イニシエータが当該共有ディスク装置にある前記所定の論理ボリュームに関連づけられて登録されている場合にのみ、前記バックアップ・リストア処理部が前記バックアップ又はリストアを行なうことを特徴とするプログラム。
【０１２８】
（付記３６）
共有ディスク装置にある所定の論理ボリュームに対応付けられた当該管理ホストにより登録されたバックアップホストに備わるイニシエータであって、当該管理ホストにより登録されたイニシエータを用いることが認証部により認証されたバックアップ・リストア処理部のみが、前記共有ディスク装置にある前記所定の論理ボリュームをバックアップ又はリストアできるようにしたことを特徴とする管理ホストとしてコンピュータを機能させるためのプログラム。
【０１２９】
（付記３７）
付記３６に記載のプログラムであって、
前記管理ホストにおいて、
必要な場合にのみ、当該管理ホストによる要求により、前記バックアップホスト及び該バックアップホストに備わる前記イニシエータが登録されていることを特徴とするプログラム。
【０１３０】
（付記３８）
付記３６又は３７に記載のプログラムであって、
前記管理ホストにおいて、
当該管理ホストは、バックアップ・リストア要求部を備え、
前記バックアップホストは、前記バックアップ・リストア処理部を備え、
前記共有ディスク装置は、ターゲット管理部を備え、
前記ターゲット管理部は、前記バックアップ・リストア要求部からの要求に従って、前記バックアップホスト及び該バックアップホストに備わる前記イニシエータを登録し、
前記バックアップ・リストア処理部は、前記バックアップ・リストア要求部からの要求に従って、前記バックアップ又はリストアを行なうことを特徴とするプログラム。
【０１３１】
（付記３９）
付記３８に記載のプログラムであって、
前記管理ホストにおいて、
前記ターゲット管理部は、前記バックアップ・リストア要求部を備える当該管理ホスト及び該管理ホストに備わるイニシエータが前記共有ディスク装置にある前記所定の論理ボリュームに関連づけられて前記共有ディスク装置に登録されている場合にのみ、前記バックアップホスト及び該バックアップホストに備わる前記イニシエータを登録することを特徴とするプログラム。
【０１３２】
（付記４０）
付記３８又は３９に記載のプログラムであって、
前記管理ホストにおいて、
前記バックアップホスト及び該バックアップホストに備わる前記イニシエータが前記共有ディスク装置にある前記所定の論理ボリュームに関連づけられて登録されている場合にのみ、前記バックアップ・リストア処理部が前記バックアップ又はリストアを行なうことを特徴とするプログラム。
【符号の説明】
【０１３３】
１、２、３  業務ホスト
４  共有ディスク
５  バックアップホスト
６  バックアップ装置
１４  バックアップ・リストア要求部
５４  バックアップ・リストア処理部
５５  プログラム認証部
４２５  ｉＳＣＳＩターゲット管理部
４２６  ｉＳＣＳＩターゲット管理表
４４１〜４４４  論理ボリューム
５２２  ｉＳＣＳＩイニシエータ
【図１】
0005720396.tif 000002
【図２】
0005720396.tif 000003
【図３】
0005720396.tif 000004
【図４】
0005720396.tif 000005
【図５】
0005720396.tif 000006
【図６】
0005720396.tif 000007
【図７】
0005720396.tif 000008
【図８】
0005720396.tif 000009